(57)【特許請求の範囲】
【請求項１】
集合住宅の複数の異なる系統毎に設置される複数の分岐器（４ａ、４ｂ、４ｃ、４ｄ、４ｅ、４ｆ）と、前記分岐器に接続される複数の端末（１、１、・・・、２、２、・・・、３、３、・・・）と、前記複数の系統のうち少なくとも２の系統にそれぞれ割り当てられる当該分岐器に幹線（Ｌ1、Ｌ2、Ｌ3、Ｌ4、Ｌ5）を経由して接続され、前記複数の端末の送受信制御を行うための制御装置（５）とを備えるインターホンシステムにおいて、
前記幹線を経由して前記制御装置に接続される前記複数の分岐器のうち最後段の当該分岐器が相互に接続され、
前記制御装置は、前記制御装置が管理を行うＩＤ番号を前記分岐器に付与するための番号付与フレーム信号を生成する系統／ＩＤ番号管理部（５０）と、前記系統毎に設けられ前記系統／ＩＤ番号管理部にて生成された前記番号付与フレーム信号を前記幹線に送出するための系統データ通信部（５１、５２、５３、５４、５５）とを備え、
前記分岐器は、前記制御装置から前記幹線を経由して伝送されてくる番号付与フレーム信号に付加されたＩＤ番号を自分岐器の当該ＩＤ番号として登録し、前記登録が完了したことの登録完了フレーム信号を生成するためのＩＤ番号管理部（４０）と、前記制御装置から前記幹線を経由して伝送されてくる番号付与フレーム信号を受信するための前段側データ通信部（４１）及び後段側データ通信部（４２）とを備え、
前記ＩＤ番号管理部は、前記前段側データ通信部及び前記後段側データ通信部のうち何れか一方の先着受信のデータ通信部において受信された前記番号付与フレーム信号に付加されているＩＤ番号を自分岐器の当該ＩＤ番号として登録後、前記登録が完了したことの登録完了フレーム信号を生成し、前記先着受信の動作を行った前記何れか一方のデータ通信部から前記幹線を経由して前記制御装置に送出するとともに、後着受信のデータ通信部において受信された前記番号付与フレーム信号を破棄することを特徴とするインターホンシテム。
【請求項２】
集合住宅の複数の異なる系統毎に設置される複数の分岐器（４ａ、４ｂ、４ｃ、４ｄ、４ｅ、４ｆ）と、前記分岐器に接続される複数の端末（１、１、・・・、２、２、・・・、３、３、・・・）と、前記複数の系統のうち少なくとも２の系統にそれぞれ割り当てられる当該分岐器に幹線（Ｌ1、Ｌ2、Ｌ3、Ｌ4、Ｌ5）を経由して接続され、前記複数の端末の送受信制御を行うための制御装置（５）とを備えるインターホンシステムにおいて、
前記幹線を経由して前記制御装置に接続される前記複数の分岐器のうち最後段の当該分岐器が相互に接続され、
前記制御装置は、前記制御装置が管理を行うＩＤ番号を前記分岐器に付与するための番号付与フレーム信号を生成する系統／ＩＤ番号管理部（５０）と、前記系統毎に設けられ前記系統／ＩＤ番号管理部にて生成された前記番号付与フレーム信号を前記幹線に送出するための系統データ通信部（５１、５２、５３、５４、５５）とを備え、
前記分岐器は、前記制御装置から前記幹線を経由して伝送されてくる番号付与フレーム信号に付加されたＩＤ番号を自分岐器の当該ＩＤ番号として登録し、前記登録が完了したことの登録完了フレーム信号を生成するためのＩＤ番号管理部（４０）と、前記制御装置から前記幹線を経由して伝送されてくる番号付与フレーム信号を受信するための前段側データ通信部（４１）及び後段側データ通信部（４２）とを備え、
前記ＩＤ番号管理部は、前記前段側データ通信部及び前記後段側データ通信部のうち一方の当該データ通信部による前記制御装置からの番号付与フレーム信号の受信動作を検出したとき、前記受信した番号付与フレーム信号を構成するＩＤ番号に所定値を追加させた番号付与フレーム信号を生成して他方の当該データ通信部から前記幹線に送出することを特徴とするインターホンシステム。
【請求項３】
初期起動時において前記先着受信のデータ通信部と前記幹線を経由して前記制御装置との間で通信を行うものであって、前記後着受信のデータ通信部は、前記制御装置から前記先着受信のデータ通信部への出力信号が不達であるとき、前記ＩＤ番号の再付与を要求するための通知フレーム信号を生成して前記幹線に送出することを特徴とする請求項１記載のインターホンシステム。
【請求項４】
前記先着受信のデータ通信部は、前記先着受信のデータ通信部への出力信号が不達であるとき、前記ＩＤ番号の再付与を要求するための通知フレーム信号を定期的に生成して前記幹線に送出することを特徴とする請求項３記載のインターホンシステム。
【発明の詳細な説明】
【技術分野】
【０００１】
本発明は、マンション等の集合住宅に設置されるインターホンシステムに係り、特に、制御装置により送受信制御される複数の端末を、集合住宅のフロア毎の複数の分岐器を経由して接続することができるインターホンシステムに関する。
【背景技術】
【０００２】
従来から、この種のインターホンシステムとして、同一の幹線（主幹線）に接続されている住戸端末同士の通信が可能な集合住宅用インターホンシステムが開示されている（例えば、特許文献１を参照。）。
【先行技術文献】
【特許文献】
【０００３】
【特許文献１】特開２０１０−２８７７１号公報
【発明の概要】
【発明が解決しようとする課題】
【０００４】
しかしながら、背景技術に記載した集合住宅用インターホンシステムにおいては、分岐器に故障等が発生して幹線（主幹線）を経由した接続が切断されると、接続断の分岐器より後段側に接続されている分岐器全てが使用できなくなり、継続した通信が不可能となる難点があった。
【０００５】
本発明は、この難点を解消するためになされたもので、複数の系統のうち少なくとも２の系統における最後段の分岐器を接続して通信経路を多重化し、分岐器の接続断時又はその接続断の復旧時においてＩＤ番号の再付与を行い通信経路を変更することにより、継続した通信が可能なインターホンシステムを提供することを目的としている。
【課題を解決するための手段】
【０００６】
前述の目的を達成するため、本発明の第１の態様であるインターホンシステムは、集合住宅の複数の異なる系統毎に設置される複数の分岐器と、分岐器に接続される複数の端末と、複数の系統のうち少なくとも２の系統にそれぞれ割り当てられる当該分岐器に幹線を経由して接続され、複数の端末の送受信制御を行うための制御装置とを備えており、幹線を経由して制御装置に接続される複数の分岐器のうち最後段の当該分岐器が相互に接続されている。制御装置は、制御装置が管理を行うＩＤ番号を分岐器に付与するための番号付与フレーム信号を生成する系統／ＩＤ番号管理部と、系統毎に設けられ系統／ＩＤ番号管理部にて生成された番号付与フレーム信号を幹線に送出するための系統データ通信部とを備えている。分岐器は、制御装置から幹線を経由して伝送されてくる番号付与フレーム信号に付加されたＩＤ番号を自分岐器の当該ＩＤ番号として登録し、登録が完了したことの登録完了フレーム信号を生成するためのＩＤ番号管理部と、制御装置から幹線を経由して伝送されてくる番号付与フレーム信号を受信するための前段側データ通信部及び後段側データ通信部とを備えている。ＩＤ番号管理部は、前段側データ通信部及び後段側データ通信部のうち何れか一方の先着受信のデータ通信部において受信された番号付与フレーム信号に付加されているＩＤ番号を自分岐器の当該ＩＤ番号として登録後、登録が完了したことの登録完了フレーム信号を生成し、先着受信の動作を行った何れか一方のデータ通信部から幹線を経由して制御装置に送出するとともに、後着受信のデータ通信部において受信された番号付与フレーム信号を破棄するものである。
【０００７】
また、本発明の第２の態様であるインターホンシステムは、集合住宅の複数の異なる系統毎に設置される複数の分岐器と、分岐器に接続される複数の端末と、複数の系統のうち少なくとも２の系統にそれぞれ割り当てられる当該分岐器に幹線を経由して接続され、複数の端末の送受信制御を行うための制御装置とを備えており、幹線を経由して制御装置に接続される複数の分岐器のうち最後段の当該分岐器が相互に接続されている。制御装置は、制御装置が管理を行うＩＤ番号を分岐器に付与するための番号付与フレーム信号を生成する系統／ＩＤ番号管理部と、系統毎に設けられ系統／ＩＤ番号管理部にて生成された番号付与フレーム信号を幹線に送出するための系統データ通信部とを備えている。分岐器は、制御装置から幹線を経由して伝送されてくる番号付与フレーム信号に付加されたＩＤ番号を自分岐器の当該ＩＤ番号として登録し、登録が完了したことの登録完了フレーム信号を生成するためのＩＤ番号管理部と、、制御装置から幹線を経由して伝送されてくる番号付与フレーム信号を受信するための前段側データ通信部及び後段側データ通信部とを備えている。ＩＤ番号管理部は、前段側データ通信部及び後段側データ通信部のうち一方の当該データ通信部による制御装置からの番号付与フレーム信号の受信動作を検出したとき、受信した番号付与フレーム信号を構成するＩＤ番号に所定値を追加させた番号付与フレーム信号を生成して他方の当該データ通信部から幹線に送出するものである。
【０００８】
また、本発明の第３の態様であるインターホンシステムは、本発明の第１の態様において、初期起動時において先着受信のデータ通信部と幹線を経由して制御装置との間で通信を行うものであって、後着受信のデータ通信部は、制御装置から先着受信のデータ通信部への出力信号が不達であるとき、ＩＤ番号の再付与を要求するための通知フレーム信号を生成して幹線に送出するものである。
【０００９】
また、本発明の第４の態様であるインターホンシステムは、本発明の第３の態様において、先着受信のデータ通信部は、先着受信のデータ通信部への出力信号が不達であるとき、ＩＤ番号の再付与を要求するための通知フレーム信号を定期的に生成して幹線に送出するものである。
【発明の効果】
【００１０】
本発明のインターホンシステムによれば、複数の系統のうち少なくとも２の系統における最後段の分岐器を接続して通信経路を多重化し、分岐器の接続断時又はその接続断の復旧時においてＩＤ番号の再付与を行い通信経路を変更することができる。これにより、ある分岐器と幹線との間が接続断となった場合であっても、他の分岐器の経由による継続した通信が可能となる。
【図面の簡単な説明】
【００１１】
【図１】図１は、本発明の実施例によるインターホンシステムの全体構成を示すシステム説明図である。
【図２】本発明の実施例によるインターホンシステムにおいて、図２（Ａ）は、制御装置の具体的な構成を示すブロック図であり、図２（Ｂ）は、複数の分岐器の具体的な構成を示すブロック図である。
【発明を実施するための形態】
【００１２】
以下、本発明のインターホンシステムを適用した実施の形態例について、図面を参照して説明する。
【００１３】
図１は、本発明の実施例によるインターホンシステムの全体構成を示すシステム説明図である。このインターホンシステムは、マンション等の集合住宅に設置されるものであって、集合住宅の複数のフロア毎の例えば、フロア玄関、住戸内、住戸玄関等にそれぞれ設置される複数の端末を構成するカメラ端末１、１、・・・、モニタ端末２、２、・・・、子機端末３、３、・・・と、複数の端末１、１、・・・、２、２、・・・、３、３、・・・のうち複数のフロア毎に設置可能な端末の台数に制限が設けられている場合に当該端末を複数の異なる系統毎に割り当てて分岐するための複数の分岐器４ａ、４ｂ、４ｃ、４ｄ、４ｅ、４ｆと、複数の系統のうち少なくとも２の系統にそれぞれ割り当てられる当該分岐器に系統毎の後述する幹線を経由して接続され、複数の端末１、１、・・・、２、２、・・・、３、３、・・・の送受信制御、例えば、呼出時における制御信号の伝送、映像撮像時における映像信号の伝送、通話成立時における音声信号の送受信を行うための制御装置５とが備えられている。
【００１４】
なお、本発明の実施例において、複数の系統としては、第１乃至第５の系統が設定されているものとし、この系統毎の幹線として第１乃至第５の系統幹線Ｌ1、Ｌ2、Ｌ3、Ｌ4、Ｌ5がそれぞれ割り当てられるものとする。
【００１５】
また、制御装置５に接続される少なくとも２の系統にそれぞれ割り当てられる複数の分岐器としては、第１の系統幹線Ｌ1を経由して当該制御装置寄りの最前段から最後段まで順次接続される（３台の）分岐器４ａ、４ｂ、４ｃと、第５の系統幹線Ｌ5を経由して当該制御装置寄りの最前段から最後段まで順次接続される（３台の）分岐器４ｄ、４ｅ、４ｆとが備えられているものとし、第１、第５の系統の最後段の分岐器４ｃ、４ｆは、終端ラインＬ0を経由して相互に接続されている。
【００１６】
さらに、複数の分岐器４ａ、４ｂ、４ｃ、４ｄ、４ｅ、４ｆにそれぞれ接続される複数の端末１、１、・・・、２、２、・・・、３、３、・・・は、カメラ端末１、１、・・・のみの接続、モニタ端末２、２、・・・のみの接続、子機端末３、３、・・・が接続されたモニタ端末２、２、・・・のみの接続等、多種多様な接続の態様を適用することができる。
【００１７】
次に、制御装置５の具体的な構成について、図２（Ａ）のブロック図を参照して説明する。同図に示す制御装置５には、自制御装置５が管理を行うＩＤ番号を複数の分岐器４ａ、４ｂ、４ｃ、４ｄ、４ｅ、４ｆにそれぞれ付与するための番号付与フレーム信号を生成する系統／ＩＤ番号管理部５０と、複数の系統である第１乃至第５の系統毎に設けられ、系統／ＩＤ番号管理部５０にて生成された番号付与フレーム信号を系統毎の第１乃至第５の系統幹線Ｌ1、Ｌ2、Ｌ3、Ｌ4、Ｌ5に送出するための複数のデータ通信部、ここでは、第１乃至第５の系統データ通信部５１、５２、５３、５４、５５とが備えられている。
【００１８】
次に、複数の分岐器４ａ、４ｂ、４ｃ、４ｄ、４ｅ、４ｆの具体的な構成について、図２（Ｂ）のブロック図を参照して説明する。同図に示す分岐器４ａ、４ｂ、４ｃ、４ｄ、４ｅ、４ｆはそれぞれ同様な構成であり、制御装置５から第１乃至第５の系統幹線Ｌ1、Ｌ2、Ｌ3、Ｌ4、Ｌ5を経由して伝送されてくる番号付与フレーム信号に付加されたＩＤ番号を自分岐器４ａ、４ｂ、４ｃ、４ｄ、４ｅ、４ｆの当該ＩＤ番号として登録し、登録が完了したことの登録完了フレーム信号を生成するためのＩＤ番号管理部４０と、前述の番号付与フレーム信号を受信するためのデータ通信部であって自分岐器４ａ、４ｂ、４ｃ、４ｄ、４ｅ、４ｆにおいて制御装置５寄りの前段側データ通信部４１及びその反対側の後段側データ通信部４２と、複数の端末１、１、・・・、２、２、・・・、３、３、・・・が接続可能な複数の端末側データ通信部、ここでは、３つの端末側データ通信部４３、４４、４５とが備えられている。また、前段側データ通信部４１とＩＤ番号管理部４０、端末側データ通信部４３、４４、４５間、後段側データ通信部４２とＩＤ番号管理部４０、端末側データ通信部４３、４４、４５間はそれぞれ、相互に接続されている。
【００１９】
なお、複数の分岐器４ａ、４ｂ、４ｃ、４ｄ、４ｅ、４ｆにおいて、端末側データ通信部の数は前述のような３つ（４３、４４、４５）に限定されるものではなく、任意の数を備えることができる。
【００２０】
このように構成された本発明の実施例によるインターホンシステムにおいて、以下、具体的な動作について図１、図２（Ａ）、（Ｂ）をそれぞれ参照して説明する。なお、図２（Ａ）、（Ｂ）において、後述する各種信号の図示は省略するものとする。
【００２１】
本発明の第１の動作として、図１に示すインターホンシステムをマンション等の集合住宅に設置する施工時のような初回起動時において、図２（Ａ）に示す制御装置５の系統／ＩＤ番号管理部５０は、第１の系統幹線Ｌ1を経由して複数の分岐器４ａ、４ｂ、４ｃに順次接続された第１の系統データ通信部５１に自制御装置５が管理を行うためのＩＤ番号を付与する番号付与フレーム信号（以下、第１の系統番号付与フレーム信号という。）Ｓ1を送出するとともに、その信号生成・送出タイミングと同時に、第５の系統幹線Ｌ5を経由して複数の分岐器４ｄ、４ｅ、４ｆに順次接続された第５の系統データ通信部５５に自制御装置５が管理を行うためのＩＤ番号を付与する番号付与フレーム信号（以下、第５の系統番号付与フレーム信号という。）Ｓ5を送出する。
【００２２】
ここで、制御装置５の系統／ＩＤ番号管理部５０にて生成された第１の系統番号付与フレーム信号Ｓ1には、その信号を構成するＩＤ番号として例えば、初期値「１」が付与されており、この第１の系統番号付与フレーム信号Ｓ1は、第１の系統データ通信部５１、第１の系統幹線Ｌ1、図２（Ｂ）に示す分岐器４ａの前段側データ通信部４１を経由してＩＤ番号管理部４０に伝送される。
【００２３】
分岐器４ａのＩＤ番号管理部４０は、前段側データ通信部４１にて受信された第１の系統番号付与フレーム信号Ｓ1を構成するＩＤ番号「１」を自分岐器４ａに割り当てられる当該ＩＤ番号として登録した後、この登録が完了したことの登録完了フレーム信号Ｓ10aを生成し、前段側データ通信部４１、第１の系統幹線Ｌ1、制御装置５の第１の系統データ通信部５１を経由して系統／ＩＤ番号管理部５０に送出するとともに、同様に受信された第１の系統番号付与フレーム信号Ｓ1を構成するＩＤ番号「１」に、所定値である例えば、「１」を加えた当該ＩＤ番号が「２」の第１の系統番号付与フレーム信号Ｓ1aを生成し、後段側データ通信部４２を経由して第１の系統幹線Ｌ1に送出する。
【００２４】
このように、第１の系統幹線Ｌ1を経由して制御装置５に順次接続された複数の分岐器４ａ、４ｂ、４ｃのＩＤ番号管理部４０はそれぞれ、前段側データ通信部４１にて受信された当該第１の系統番号付与フレーム信号を構成するＩＤ番号に、所定値である例えば、「１」を順次加えた当該ＩＤ番号が「２」、「３」、「４」の第１の系統番号付与フレーム信号Ｓ1a、Ｓ1b、Ｓ1cを生成し、後段側データ通信部４２を経由して第１の系統幹線Ｌ1又は終端ラインＬ0に送出することができる。
【００２５】
複数の分岐器４ａ、４ｂ、４ｃのＩＤ番号管理部４０はそれぞれ、前段側データ通信部４１にて受信された第１の系統番号付与フレーム信号Ｓ1、Ｓ1a、Ｓ1bを構成するＩＤ番号「１」、「２」、「３」をそれぞれ、自分岐器４ａ、４ｂ、４ｃに割り当てられる当該ＩＤ番号として登録した後、この登録が完了したことの登録完了フレーム信号Ｓ10a、Ｓ10b、Ｓ10cを生成し、前述の第１の系統番号付与フレーム信号Ｓ1、Ｓ1a、Ｓ1bの信号伝送路と逆の伝送路を経由して制御装置５の系統／ＩＤ番号管理部５０に送出することができる。
【００２６】
一方、制御装置５の系統／ＩＤ番号管理部５０にて生成された第５の系統番号付与フレーム信号Ｓ5には、その信号を構成するＩＤ番号として例えば、初期値「１」が付与されており、この第５の系統番号付与フレーム信号Ｓ5は、第５の系統データ通信部５５、第５の系統幹線Ｌ5、分岐器４ｄの前段側データ通信部４１を経由してＩＤ番号管理部４０に伝送される。
【００２７】
分岐器４ｄのＩＤ番号管理部４０は、前段側データ通信部４１にて受信された第５の系統番号付与フレーム信号Ｓ5を構成するＩＤ番号「１」を自分岐器４ｄに割り当てられる当該ＩＤ番号として登録した後、この登録が完了したことの登録完了フレーム信号Ｓ50dを生成し、前段側データ通信部４１、第５の系統幹線Ｌ5、制御装置５の第５の系統データ通信部５５を経由して系統／ＩＤ番号管理部５０に送出するとともに、同様に受信された第５の系統番号付与フレーム信号Ｓ5を構成するＩＤ番号「１」に、所定値である例えば、「１」を加えた当該ＩＤ番号が「２」の第５の系統番号付与フレーム信号Ｓ5dを生成し、後段側データ通信部４２を経由して第５の系統幹線Ｌ5に送出する。
【００２８】
このように、第５の系統幹線Ｌ5を経由して制御装置５に順次接続された複数の分岐器４ｄ、４ｅ、４ｆのＩＤ番号管理部４０はそれぞれ、前段側データ通信部４１にて受信された当該第５の系統番号付与フレーム信号を構成するＩＤ番号に、所定値である例えば、「１」を順次加えた当該ＩＤ番号が「２」、「３」、「４」の第５の系統番号付与フレーム信号Ｓ5d、Ｓ5e、Ｓ5fを生成し、後段側データ通信部４２を経由して第５の系統幹線Ｌ5又は終端ラインＬ0に送出することができる。
【００２９】
複数の分岐器４ｄ、４ｅ、４ｆのＩＤ番号管理部４０はそれぞれ、前段側データ通信部４１にて受信された第５の系統番号付与フレーム信号Ｓ5、Ｓ5d、Ｓ5eを構成するＩＤ番号「１」、「２」、「３」をそれぞれ、自分岐器４ｄ、４ｅ、４ｆに割り当てられる当該ＩＤ番号として登録した後、この登録が完了したことの登録完了フレーム信号Ｓ50d、Ｓ50e、Ｓ50fを生成し、前述の第５の系統番号付与フレーム信号Ｓ5、Ｓ5d、Ｓ5eの信号伝送路と逆の伝送路を経由して制御装置５の系統／ＩＤ番号管理部５０に送出することができる。
【００３０】
なお、前述のように、第１の系統幹線Ｌ1を経由して制御装置５に順次接続された複数の分岐器４ａ、４ｂ、４ｃ及び第５の系統幹線Ｌ5を経由して制御装置５に順次接続された複数の分岐器４ｄ、４ｅ、４ｆのうち、第１の系統で最後段の分岐器４ｃのＩＤ番号管理部４０は、前段側データ通信部４１にて受信された第１の系統番号付与フレーム信号Ｓ1bと、終端ラインＬ0を経由して後段側データ通信部４２にて受信された第５の系統で最後段の分岐器４ｆからの第５の系統番号付与フレーム信号Ｓ5fとを検出することができるものの、この後段側データ通信部４２における信号受信動作は、前段側データ通信部４１における信号受信動作と比較して終端ラインＬ0の線路長分遅延されるため、前段側データ通信部４１における信号受信動作が先着受信、後段側データ通信部４２における信号受信動作が後着受信となる。
【００３１】
これを確認した分岐器４ｃのＩＤ番号管理部４０は、後段側データ通信部４２にて受信された第５の系統番号付与フレーム信号Ｓ5fを破棄することができ、ゆえに、第５の系統番号付与フレーム信号Ｓ5fを自分岐器４ｃに割り当てられる当該ＩＤ番号として登録することはなく、制御装置５の系統／ＩＤ番号管理部５０に対して、第５の系統番号付与フレーム信号Ｓ5fに対応する登録完了フレーム信号を送出することもない。
【００３２】
一方、第５の系統で最後段の分岐器４ｆのＩＤ番号管理部４０は、前段側データ通信部４１にて受信された第５の系統番号付与フレーム信号Ｓ5eと、終端ラインＬ0を経由して後段側データ通信部４２にて受信された第１の系統で最後段の分岐器４ｃからの第１の系統番号付与フレーム信号Ｓ1cとを検出することができるものの、この後段側データ通信部４２における信号受信動作は、前段側データ通信部４１における信号受信動作と比較して終端ラインＬ0の線路長分遅延されるため、前段側データ通信部４１における信号受信動作が先着受信、後段側データ通信部４２における信号受信動作が後着受信となる。
【００３３】
これを確認した分岐器４ｆのＩＤ番号管理部４０は、後段側データ通信部４２にて受信された第１の系統番号付与フレーム信号Ｓ1cを破棄することができ、ゆえに、第１の系統番号付与フレーム信号Ｓ1cを自分岐器４ｆに割り当てられる当該ＩＤ番号として登録することはなく、制御装置５の系統／ＩＤ番号管理部５０に対して、第１の系統番号付与フレーム信号Ｓ1cに対応する登録完了フレーム信号を送出することもない。
【００３４】
前述までの説明から明らかなように、本発明の第１の動作によれば、制御装置５の系統／ＩＤ番号管理部５０は、初回起動時において自制御装置５が管理を行うためのＩＤ番号を付与するにあたり、ＩＤ番号の登録が完了したことの登録完了フレーム信号Ｓ10a、Ｓ10b、Ｓ10c、Ｓ50d、Ｓ50e、Ｓ50fをそれぞれ検出することにより、第１の系統幹線Ｌ1を経由して第１の系統データ通信部５１に順次接続された複数の分岐器が分岐器４ａ、４ｂ、４ｃの「３台」であり、第５の系統幹線Ｌ5を経由して第５の系統データ通信部５５に順次接続された複数の分岐器が分岐器４ｄ、４ｅ、４ｆの「３台」であることを確認することができる。
【００３５】
次に、本発明の第２の動作であり、前述のような初回起動時において、制御装置５の第１、第５の系統データ通信部５１、５５にそれぞれ、第１の系統幹線Ｌ1を経由して複数の分岐器４ａ、４ｂ、４ｃが、第５の系統幹線Ｌ5を経由して複数の分岐器４ｄ、４ｅ、４ｆが正常に接続された後の動作として、例えば、分岐器４ｂの前段側データ通信部４１に故障等が発生し、この前段側データ通信部４１と第１の系統幹線Ｌ1との間の接続が切断されていると、例えば、分岐器４ｂの端末側データ通信部４４に接続されたカメラ端末１にて生成された映像信号は、前段側データ通信部４１から第１の系統幹線Ｌ1を経由して直前段の分岐器４ａの後段側データ通信部４２に伝送されず、ゆえに、この分岐器４ａを経由して制御装置５へ映像信号を伝送することもできないため、制御装置５からの出力信号も不達となる所謂、不達状態となる。
【００３６】
そこで、分岐器４ａの後段側データ通信部４２は、前述の接続断を検出し、ＩＤ番号の再付与を要求するための通知フレーム信号（以下、再付与要求通知フレーム信号という。）Ｓ100aを生成する。この再付与要求通知フレーム信号Ｓ100aは、後段側データ通信部４２からＩＤ番号管理部４０、前段側データ通信部４１、第１の系統幹線Ｌ1、制御装置５の第１の系統データ通信部５１を経由して系統／ＩＤ番号管理部５０に伝送される。
【００３７】
制御装置５の系統／ＩＤ番号管理部５０は、分岐器４ａの後段側データ通信部４１から伝送されてきた再付与要求通知フレーム信号Ｓ100aを受信すると、第１の系統幹線Ｌ1を経由して複数の分岐器４ａ、４ｂ、４ｃに順次接続された第１の系統データ通信部５１に自制御装置５が管理を行うためのＩＤ番号を再付与する番号再付与フレーム信号（以下、第１の系統番号再付与フレーム信号という。）Ｓ101を送出するとともに、その信号生成・送出タイミングと同時に、第５の系統幹線Ｌ5を経由して複数の分岐器４ｄ、４ｅ、４ｆに順次接続された第５の系統データ通信部５５に自制御装置５が管理を行うためのＩＤ番号を再付与する番号再付与フレーム信号（以下、第５の系統番号再付与フレーム信号という。）Ｓ105を送出する。
【００３８】
ここで、制御装置５の系統／ＩＤ番号管理部５０にて生成された第１の系統番号再付与フレーム信号Ｓ101には、その信号を構成するＩＤ番号として例えば、初期値「１」が付与されており、この第１の系統番号再付与フレーム信号Ｓ101は、第１の系統データ通信部５１、第１の系統幹線Ｌ1、分岐器４ａの前段側データ通信部４１を経由してＩＤ番号管理部４０に伝送される。
【００３９】
分岐器４ａのＩＤ番号管理部４０は、前段側データ通信部４１にて受信された第１の系統番号再付与フレーム信号Ｓ101を構成するＩＤ番号「１」と前述の初回起動時において登録されていたＩＤ番号とを照合する。ここでは、ＩＤ番号が「１」で一致するため、分岐器４ａのＩＤ番号管理部４０は、何らの登録動作は行わず、ゆえに、制御装置５の系統／ＩＤ番号管理部５０に対して、第１の系統番号再付与フレーム信号Ｓ101に対応する登録完了フレーム信号を送出することもない。
【００４０】
また、分岐器４ａのＩＤ番号管理部４０は、同様に受信された第１の系統番号再付与フレーム信号Ｓ101を構成するＩＤ番号「１」に、所定値である例えば、「１」を加えた当該ＩＤ番号が「２」の第１の系統番号再付与フレーム信号Ｓ101aを生成し、後段側データ通信部４２を経由して第１の系統幹線Ｌ1に送出するものの、この第１の系統幹線Ｌ1と分岐器４ｂの前段側データ通信部４１との間は接続断であるため、第１の系統番号再付与フレーム信号Ｓ101aが分岐器４ｂのＩＤ番号管理部４０に伝送されることはない。
【００４１】
一方、制御装置５の系統／ＩＤ番号管理部５０にて生成された第５の系統番号再付与フレーム信号Ｓ105には、その信号を構成するＩＤ番号として例えば、初期値「１」が付与されており、この第５の系統番号再付与フレーム信号Ｓ105は、第５の系統データ通信部５５、第５の系統幹線Ｌ5、分岐器４ｄの前段側データ通信部４１を経由してＩＤ番号管理部４０に伝送される。
【００４２】
分岐器４ｄのＩＤ番号管理部４０は、前段側データ通信部４１にて受信された第５の系統番号再付与フレーム信号Ｓ105を構成するＩＤ番号「１」と前述の初回起動時において登録されていたＩＤ番号とを照合する。ここでは、ＩＤ番号が「１」で一致するため、分岐器４ｄのＩＤ番号管理部４０は、何らの登録動作は行わず、ゆえに、制御装置５の系統／ＩＤ番号管理部５０に対して、第５の系統番号再付与フレーム信号Ｓ105に対応する登録完了フレーム信号を送出することもない。
【００４３】
また、分岐器４ｄのＩＤ番号管理部４０は、同様に受信された第５の系統番号再付与フレーム信号Ｓ105を構成するＩＤ番号「１」に、所定値である例えば、「１」を加えた当該ＩＤ番号が「２」の第５の系統番号再付与フレーム信号Ｓ105dを生成し、後段側データ通信部４２を経由して第５の系統幹線Ｌ5に送出する。
【００４４】
このように、第５の系統幹線Ｌ5を経由して制御装置５に順次接続された複数の分岐器４ｄ、４ｅ、４ｆのＩＤ番号管理部４０はそれぞれ、前段側データ通信部４１にて受信された当該第５の系統番号再付与フレーム信号を構成するＩＤ番号に、所定値である例えば、「１」を順次加えた当該ＩＤ番号が「２」、「３」、「４」の第５の系統番号再付与フレーム信号Ｓ105d、Ｓ105e、Ｓ105fを生成し、後段側データ通信部４２を経由して第５の系統幹線Ｌ5又は終端ラインＬ0に送出することができる。
【００４５】
複数の分岐器４ｄ、４ｅ、４ｆのＩＤ番号管理部４０はそれぞれ、前段側データ通信部４０にて受信された第５の系統番号再付与フレーム信号Ｓ105、Ｓ105d、Ｓ105eを構成するＩＤ番号「１」、「２」、「３」と前述の初回起動時において登録されていたＩＤ番号とが一致するため、何らの登録動作は行わず、ゆえに、制御装置５の系統／ＩＤ番号管理部５０に対して、第５の系統番号再付与フレーム信号Ｓ105、Ｓ105d、Ｓ105eに対応する登録完了フレーム信号を送出することもない。
【００４６】
前述のように、第１の系統幹線Ｌ1を経由して制御装置５に順次接続された複数の分岐器４ａ、４ｂ、４ｃのうち最後段の分岐器４ｃのＩＤ番号管理部４０は、前段側データ通信部４１においては何らの信号受信動作は行われないものの、終端ラインＬ0を経由して後段側データ通信部４２にて受信された第５の系統で最後段の分岐器４ｆからの第５の系統番号再付与フレーム信号Ｓ105fを検出することができ、この第５の系統番号再付与フレーム信号Ｓ105fを構成するＩＤ番号「４」と前述の初回起動時において登録されていたＩＤ番号とを照合する。
【００４７】
ここでは、ＩＤ番号が「４」、「３」で不一致であるため、分岐器４ｃのＩＤ番号管理部４０は、第５の系統番号再付与フレーム信号Ｓ105fを構成するＩＤ番号「４」を、自分岐器４ｃに割り当てられる当該ＩＤ番号として新たに登録（上書き登録）した後、この登録が完了したことの登録完了フレーム信号Ｓ110cを生成し、後段側データ通信部４１、終端ラインＬ0、分岐器４ｆの後段側データ通信部４２、ＩＤ番号管理部４０、前段側データ通信部４１、第５の系統幹線Ｌ5、分岐器４ｅの後段側データ通信部４２、ＩＤ番号管理部４０、前段側データ通信部４１、第５の系統幹線Ｌ5、分岐器４ｄの後段側データ通信部４２、ＩＤ番号管理部４０、前段側データ通信部４１、第５の系統幹線Ｌ5、制御装置５の第５の系統データ通信部５５を経由して系統／ＩＤ番号管理部５０に送出するとともに、同様に受信された第５の系統番号再付与フレーム信号Ｓ105fを構成するＩＤ番号「４」に、所定値である例えば、「１」を加えた当該ＩＤ番号が「５」の第５の系統番号再付与フレーム信号Ｓ105cを生成し、前段側データ通信部４１を経由して第１の系統幹線Ｌ1に送出する。
【００４８】
分岐器４ｂのＩＤ番号管理部４０は、前述の接続断のために前段側データ通信部４１においては何らの信号受信動作は行われないものの、後段側データ通信部４２にて受信された分岐器４ｃからの第５の系統番号再付与フレーム信号Ｓ105cを検出することができ、この第５の系統番号付与フレーム信号Ｓ105cを構成するＩＤ番号「５」と前述の初回起動時において登録されていたＩＤ番号とを照合する。
【００４９】
ここでは、ＩＤ番号が「５」、「２」で不一致であるため、分岐器４ｂのＩＤ番号管理部４０は、第５の系統番号再付与フレーム信号Ｓ105cを構成するＩＤ番号「５」を、自分岐器４ｂに割り当てられる当該ＩＤ番号として新たに登録（上書き登録）した後、この登録が完了したことの登録完了フレーム信号Ｓ110bを生成し、後段側データ通信部４２、第１の系統幹線Ｌ1、分岐器４ｃの前段側データ通信部４１、ＩＤ番号管理部４０、後段側データ通信部４２、終端ラインＬ0、分岐器４ｆの後段側データ通信部４２、ＩＤ番号管理部４０、前段側データ通信部４１、第５の系統幹線Ｌ5、分岐器４ｅの後段側データ通信部４２、ＩＤ番号管理部４０、前段側データ通信部４１、第５の系統幹線Ｌ5、分岐器４ｄの後段側データ通信部４２、ＩＤ番号管理部４０、前段側データ通信部４１、第５の系統幹線Ｌ5、制御装置５の第５の系統データ通信部５５を経由して系統／ＩＤ番号管理部５０に送出することができる。
【００５０】
なお、分岐器４ｂのＩＤ番号管理部４０は、同様に受信された第５の系統番号再付与フレーム信号Ｓ105cを構成するＩＤ番号「５」に、所定値である例えば、「１」を加えた当該ＩＤ番号が「６」の第５の系統番号再付与フレーム信号を生成することができるものの、前段側データ通信部４１と第１の系統幹線Ｌ1との間が接続断であるため、この第５の系統番号再付与フレーム信号が直前段の分岐器４ａに伝送されることはない。
【００５１】
前述までの説明から明らかなように、本発明の第２の動作によれば、制御装置５の系統／ＩＤ番号管理部５０は、ＩＤ番号の新たな登録（上書き登録）が完了したことの登録完了フレーム信号Ｓ110b、Ｓ110cをそれぞれ検出することにより、前述の不達状態における分岐器４ｂの端末側データ通信部４４に接続されたカメラ端末１からの映像信号の信号伝送路として、この分岐器４ｂの後段側データ通信部４２、第１の系統幹線Ｌ1、分岐器４ｃの前段側データ通信部４１、ＩＤ番号管理部４０、後段側データ通信部４２、終端ラインＬ0、分岐器４ｆの後段側データ通信部４２、ＩＤ番号管理部４０、前段側データ通信部４１、第５の系統幹線Ｌ5、分岐器４ｅの後段側データ通信部４２、ＩＤ番号管理部４０、前段側データ通信部４１、第５の系統幹線Ｌ5、分岐器４ｄの後段側データ通信部４２、ＩＤ番号管理部４０、前段側データ通信部４１、第５の系統幹線Ｌ5を経由して制御装置５の第５の系統データ通信部５５までの信号伝送路を形成することができ、前述の初回起動時とは異なる通信経路が確保されて継続した通信が可能となる。
【００５２】
なお、本発明の第２の動作によれば、分岐器４ｂの前段側データ通信部４１に故障等が発生し、この前段側データ通信部４１と第１の系統幹線Ｌ1との間の接続が切断された場合の動作について説明したが、第１、第５の系統毎の複数の分岐器４ａ、４ｂ、４ｃ、４ｄ、４ｅ、４ｆのうち、最前段の分岐器４ａ、４ｄの前段側データ通信部４１に故障等が発生し、この前段側データ通信部４１と第１、第５の系統幹線Ｌ1、Ｌ5との間の接続が切断された場合、この接続断は、制御装置５の第１、第５の系統データ通信部５１、５５にて検出され、これを確認した系統／ＩＤ番号管理部５０が前述のような第１、第５の系統番号再付与フレーム信号Ｓ101、Ｓ105を生成することができるため、同様な動作が可能となる。
【００５３】
次に、本発明の第３の動作として、前述の（接続断時の）ＩＤ番号の再付与後において、分岐器４ｂの前段側データ通信部４１は、定期的なタイミングでＩＤ番号のさらなる再付与を要求するための再付与要求通知フレーム信号Ｓ120bを生成することができる。ここで、この信号生成のタイミングが前述の接続断から復旧したタイミングであると、再付与要求通知フレーム信号Ｓ120bが前段側データ通信部４１、第１の系統幹線Ｌ1、分岐器４ａの後段側データ通信部４２、ＩＤ番号管理部４０、前段側データ通信部４１、第１の系統幹線Ｌ1、制御装置５の第１の系統データ通信部５１を経由して系統／ＩＤ番号管理部５０に伝送される。
【００５４】
制御装置５の系統／ＩＤ番号管理部５０は、分岐器４ｂの前段側データ通信部４１から伝送されてきた再付与要求通知フレーム信号Ｓ120bを受信すると、第１の系統幹線Ｌ1を経由して複数の分岐器４ａ、４ｂ、４ｃに順次接続された第１の系統データ通信部５１に自制御装置５が管理を行うためのＩＤ番号を再付与する第１の系統番号再付与フレーム信号Ｓ201を送出するとともに、その信号生成・送出タイミングと同時に、第５の系統幹線Ｌ5を経由して複数の分岐器４ｄ、４ｅ、４ｆに順次接続された第５の系統データ通信部５５に自制御装置５が管理を行うためのＩＤ番号を再付与する第５の系統番号再付与フレーム信号Ｓ205を送出する。
【００５５】
ここで、制御装置５の系統／ＩＤ番号管理部５０にて生成された第１の系統番号再付与フレーム信号Ｓ201には、その信号を構成するＩＤ番号として例えば、初期値「１」が付加されており、この第１の系統番号再付与フレーム信号Ｓ201は、第１の系統データ通信部５１、第１の系統幹線Ｌ1、分岐器４ａの前段側データ通信部４１を経由してＩＤ番号管理部４０に伝送される。
【００５６】
分岐器４ａのＩＤ番号管理部４０は、前段側データ通信部４１にて受信された第１の系統番号再付与フレーム信号Ｓ201を構成するＩＤ番号「１」と前述の初回起動時において登録されていたＩＤ番号とを照合する。ここでは、ＩＤ番号が「１」で一致するため、何らの登録動作は行わず、ゆえに、制御装置５の系統／ＩＤ番号管理部５０に対して、第１の系統番号再付与フレーム信号Ｓ201に対応する登録完了フレーム信号を送出することもない。
【００５７】
また、分岐器４ａのＩＤ番号管理部４０は、同様に受信された第１の系統番号再付与フレーム信号Ｓ201を構成するＩＤ番号「１」に、所定値である例えば、「１」を加えた当該ＩＤ番号が「２」の第１の系統番号再付与フレーム信号Ｓ201aを生成し、後段側データ通信部４２を経由して第１の系統幹線Ｌ1に送出する。
【００５８】
分岐器４ｂのＩＤ番号管理部４０は、前段側データ通信部４１にて受信された第１の系統番号再付与フレーム信号Ｓ201aを構成するＩＤ番号「２」と前述の接続断時において（新たに）登録されていたＩＤ番号とを照合する。
【００５９】
ここでは、ＩＤ番号が「２」、「５」で不一致であるため、分岐器４ｂのＩＤ番号管理部４０は、第１の系統番号再付与フレーム信号Ｓ201aを構成するＩＤ番号「２」を、自分岐器４ｂに割り当てられる当該ＩＤ番号として新たに登録（上書き登録）した後、登録が完了したことの登録完了フレーム信号Ｓ210bを生成し、前段側データ通信部４１、第１の系統幹線Ｌ1、分岐器４ａの後段側データ通信部４２、ＩＤ番号管理部４０、前段側データ通信部４１、第１の系統幹線Ｌ1、制御装置５の第１の系統データ通信部５１を経由して系統／ＩＤ番号管理部５０に送出するとともに、同様に受信された第１の系統番号再付与フレーム信号Ｓ201aを構成するＩＤ番号「２」に、所定値である例えば、「１」を加えた当該ＩＤ番号が「３」の第１の系統番号再付与フレーム信号Ｓ201bを生成し、後段側データ通信部４２を経由して第１の系統幹線Ｌ1に送出する。
【００６０】
分岐器４ｃのＩＤ番号管理部４０は、前段側データ通信部４１にて受信された第１の系統番号再付与フレーム信号Ｓ201bを構成するＩＤ番号「３」と前述の接続断時において（新たに）登録されていたＩＤ番号とを照合する。
【００６１】
ここでは、ＩＤ番号が「３」、「４」で不一致であるため、分岐器４ｃのＩＤ番号管理部４０は、第１の系統番号再付与フレーム信号Ｓ201bを構成するＩＤ番号「３」を、自分岐器４ｃに割り当てられる当該ＩＤ番号として新たに登録（上書き登録）した後、この登録が完了したことの登録完了フレーム信号Ｓ210cを生成し、前段側データ通信部４１、第１の系統幹線Ｌ1、分岐器４ｂの後段側データ通信部４２、ＩＤ管理部４０、前段側データ通信部４１、第１の系統幹線Ｌ1、分岐器４ａの後段側データ通信部４２、ＩＤ管理部４０、前段側データ通信部４１、第１の系統幹線Ｌ1、制御装置５の第１の系統データ通信部５１を経由して系統／ＩＤ番号管理部５０に送出するとともに、同様に受信された第１の系統番号再付与フレーム信号Ｓ201bを構成するＩＤ番号「３」に、所定値である例えば、「１」を加えた当該ＩＤ番号が「４」の第１の系統番号再付与フレーム信号Ｓ201cを生成し、後段側データ通信部４２を経由して終端ラインＬ0に送出する。
【００６２】
一方、制御装置５の系統／ＩＤ番号管理部５０にて生成された第５の系統番号再付与フレーム信号Ｓ205は、前述の接続断時における再付与の動作と同様な信号処理で第５の系統幹線Ｌ5を経由して複数の分岐器４ｄ、４ｅ、４ｆのＩＤ番号管理部４０にそれぞれ伝送される。ここで、ＩＤ番号管理部４０はそれぞれ、前段側データ通信部４０にて受信された第５の系統番号再付与フレーム信号Ｓ205、Ｓ205d、Ｓ205eを構成するＩＤ番号「１」、「２」、「３」と前述の初回起動時／接続断時において登録されていたＩＤ番号とが一致するため、何らの登録動作は行わず、ゆえに、制御装置５の系統／ＩＤ番号管理部５０に対して、第５の系統番号再付与フレーム信号Ｓ205、Ｓ205d、Ｓ205eに対応する登録完了フレーム信号を送出することもない。
【００６３】
また、第５の系統で最終段の分岐器４ｆのＩＤ番号管理部４０は、前段側データ通信部４１にて受信された第５の系統番号再付与フレーム信号Ｓ205eと、後段側データ通信部４２にて受信された第１の系統で最後段の分岐器４ｃからの第１の系統番号再付与フレーム信号Ｓ201cとを検出することができるものの、後段側データ通信部４２における信号受信動作は、前段側データ通信部４１における信号受信動作と比較して終端ラインＬ0の線路長分遅延されるため、前段側データ通信部４１における信号受信動作が先着受信、後段側データ通信部４２における信号受信動作が後着受信となる。
【００６４】
これを確認した分岐器４ｆのＩＤ番号管理部４０は、後段側データ通信部４２にて受信された第１の系統番号再付与フレーム信号Ｓ201cを破棄することができ、ゆえに、第１の系統番号再付与フレーム信号Ｓ201cを登録することはなく、制御装置５の系統／ＩＤ番号管理部５０に対して、第１の系統番号再付与フレーム信号Ｓ201cに対応する登録完了フレーム信号を送出することもない。
【００６５】
さらに、第１の系統で最後段の分岐器４ｃのＩＤ番号管理部４０は、前段側データ通信部４１にて受信された第１の系統番号再付与フレーム信号Ｓ201cと、終端ラインＬ0を経由して後段側データ通信部４２にて受信された第５の系統で最終段の分岐器４ｆからの第５の系統番号再付与フレーム信号Ｓ205fとを検出することができるものの、後段側データ通信部４２における信号受信動作は、前段側データ通信部４１における信号受信動作と比較して終端ラインＬ0の線路長分遅延されるため、前段側データ通信部４１における信号受信動作が先着受信、後段側データ通信部４２における信号受信動作が後着受信となる。
【００６６】
これを確認した分岐器４ｃのＩＤ番号管理部４０は、後段側データ通信部４２にて受信された第５の系統番号再付与フレーム信号Ｓ205fを破棄することができ、ゆえに、第５の系統番号再付与フレーム信号Ｓ205fを登録することはなく、制御装置５の系統／ＩＤ番号管理部５０に対して、第５の系統番号再付与フレーム信号Ｓ205fに対応する登録完了フレーム信号を送出することもない。
【００６７】
前述までの説明から明らかなように、制御装置５の系統／ＩＤ番号管理部５０は、接続断が復旧してＩＤ番号の新たな登録（上書き登録）が完了したことの登録完了フレーム信号Ｓ210b、Ｓ210cをそれぞれ検出することにより、前述の接続断時とは異なる通信経路を確保することができる。
【００６８】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００６９】
具体的に本発明の実施例においては、制御装置５に接続される複数の分岐器として、第１、第５の系統幹線Ｌ1、Ｌ5を経由して順次接続される分岐器４ａ、４ｂ、４ｃ、４ｄ、４ｅ、４ｆを適用したように、第１、第５の２の系統による最後段の分岐器４ｃ、４ｄを終端ラインＬ0を経由して相互に接続して通信経路を二重化したが、この系統数に限定されるものではない。例えば、より複数の系統による最後段の分岐器を所定の終端ラインを経由して相互に接続することにより、通信経路の多重化が可能となる。
【００７０】
また、本発明の実施例においては、第１乃至第５の系統幹線Ｌ1、Ｌ2、Ｌ3、Ｌ4、Ｌ5を経由して順次接続される複数の分岐器として、第１、第５の系統幹線Ｌ1、Ｌ5を経由して順次接続される３台ずつの分岐器４ａ、４ｂ、４ｃ、分岐器４ｄ、４ｅ、４ｆを適用したが、この態様に限定されるものではない。例えば、集合住宅の規模に対応させた数の当該分岐器を設けることができる。
【００７１】
また、本発明の実施例においては、制御装置５の系統／ＩＤ番号管理部５０にて生成される第１、第５の系統番号付与フレーム信号Ｓ1、Ｓ5、第１、第５の系統番号再付与フレーム信号Ｓ101、Ｓ201、Ｓ105、Ｓ205を構成するＩＤ番号として、初期値「１」の当該ＩＤ番号を適用したが、この値に限定されるものではない。例えば、「１」以外の適宜な値（初期値）のＩＤ番号を適用することができる。
【００７２】
さらに、本発明の実施例においては、分岐器４ａ、４ｂ、４ｃ、４ｄ、４ｅ、４ｆのＩＤ番号管理部４０の動作として、受信した番号付与フレーム信号を構成するＩＤ番号に所定値を追加するにあたり、その所定値として「１」を適用したが、この値に限定されるものではない。例えば、「１」以外の適宜な値を追加することができる。
【符号の説明】
【００７３】
１、１、・・・、２、２、・・・、３、３、・・・ ……複数の端末
４ａ、４ｂ、４ｃ、４ｄ、４ｅ、４ｆ・・・ ……複数の分岐器
４０……ＩＤ番号管理部
４１……前段側データ通信部
４２……後段側データ通信部
５……制御装置
５０……系統／ＩＤ番号管理部
５１、５２、５３、５４、５５……（第１乃至第５の系統）データ通信部
Ｌ1、Ｌ2、Ｌ3、Ｌ4、Ｌ5……複数の系統毎の幹線
【図１】
0005547114.tif 000002
【図２】
0005547114.tif 000003